(57)【特許請求の範囲】
【請求項１】
脂肪酸モノエステル基油及びエーテルエステル基油からなる群より選ばれる少なくとも１種の潤滑油基油と、
トリフルオロメタンスルホン酸カリウム、トリフルオロメタンスルホン酸リチウム、ノナフルオロブタンスルホン酸リチウム、ビス（トリフルオロメタンスルホニル）イミドリチウム、ビス（トリフルオロメタンスルホニル）イミドカリウム、及びトリス（トリフルオロメタンスルホニル）メチドリチウムからなる群より選ばれる少なくとも１種の導電性付与剤を組成物全質量に対して０．０１〜１質量％と、を含有し、
１２０℃で２００時間保管した後の導電率の変化率が１０％以下である導電性潤滑油組成物。
【請求項２】
さらに、ジフェニルアミン化合物、アルキル化フェニル−α−ナフチルアミン、ヒンダードフェノール化合物、及びフォスファイトからなる群より選ばれる少なくとも１種の酸化防止剤を組成物全質量に対して０．０５〜２質量％含有する、請求項１に記載の導電性潤滑油組成物。
【請求項３】
前記潤滑油基油が、下記一般式（１）、一般式（２）、又は一般式（３）のいずれかで表される化合物である、請求項１又は請求項２に記載の導電性潤滑油組成物。
【化１】
0006757278.tif 000016
［一般式（１）中、Ｒ１は炭素数８〜１６の直鎖状若しくは分岐鎖状のアルキル基又は酸素原子を含むヘテロアルキル基を表し、ｎは５〜１１の整数を表す。］
【化２】
0006757278.tif 000017
［一般式（２）中、Ｒ２は炭素数８〜１６の直鎖状若しくは分岐鎖状のアルキル基又は酸素原子を含むヘテロアルキル基を表し、ｎは５〜１１の整数を表す。］
【化３】
0006757278.tif 000018
［一般式（３）中、Ａ１は炭素数８〜１５の直鎖状若しくは分岐鎖状のアルキレン基又はヘテロアルキレン基を表し、Ｒ３及びＲ４は、それぞれ独立に、炭素数６〜１０の直鎖状又は分岐鎖状のアルキル基を表す。］
【発明の詳細な説明】
【技術分野】
【０００１】
本発明は、導電性潤滑油組成物に関するものである。
【背景技術】
【０００２】
近年、パソコン及びその他周辺機器などの精密機器は、高度化及び小型化が進んでいる。このような精密機器の高速回転部に使用される潤滑油組成物は、高速回転部の摩擦により発生する静電気の帯電を抑制するため、導電性が求められることがある。導電性を付与した潤滑油組成物としては、例えば、エステル系ベースオイルと、陰イオン系、陽イオン系、両性系又は非イオン系の帯電防止剤と、を含む動圧軸受用導電性潤滑剤が提案されている（例えば、特許文献１参照）。
【先行技術文献】
【特許文献】
【０００３】
【特許文献１】特開２００１−１１５１８０号公報
【発明の概要】
【発明が解決しようとする課題】
【０００４】
しかし、ノニオン性（非イオン系）及びイオン性（陰イオン系、陽イオン系、両性系）の帯電防止剤を使用する場合、潤滑油組成物に含まれる水分量などによって潤滑油組成物の導電性が変動するなどの問題がある。さらに、帯電防止剤は、種類によっては高温下における安定性が不十分であり、潤滑油組成物を長期間使用した際、導電性が大きく変動してしまうなどの問題がある。
【０００５】
本発明は、上記のような実情に鑑みてなされたものであり、導電性の経時安定性に優れる導電性潤滑油組成物を提供することを課題とする。
【課題を解決するための手段】
【０００６】
本発明者らは、上記課題を解決するために鋭意研究を行った結果、特定の基油と特定の導電性付与剤と、を組合せると、導電性の変化が抑制され、長期間安定した導電性潤滑油組成物が得られることを見出し、本発明を完成した。即ち、本発明は以下の通りである。
【０００７】
＜１＞  脂肪酸モノエステル基油及びエーテルエステル基油からなる群より選ばれる少なくとも１種の潤滑油基油と、トリフルオロメタンスルホン酸カリウム、トリフルオロメタンスルホン酸リチウム、ノナフルオロブタンスルホン酸リチウム、ビス（トリフルオロメタンスルホニル）イミドリチウム、ビス（トリフルオロメタンスルホニル）イミドカリウム、及びトリス（トリフルオロメタンスルホニル）メチドリチウムからなる群より選ばれる少なくとも１種の導電性付与剤を組成物全質量に対して０．０１〜１質量％と、を含有し、１２０℃で２００時間保管した後の導電率の変化率が１０％以下である導電性潤滑油組成物。
【０００８】
＜２＞  さらに、ジフェニルアミン化合物、アルキル化フェニル−α−ナフチルアミン、ヒンダードフェノール化合物、及びフォスファイトからなる群より選ばれる少なくとも１種の酸化防止剤を組成物全質量に対して０．０５〜２質量％含有する、＜１＞に記載の導電性潤滑油組成物。
【０００９】
＜３＞  前記潤滑油基油が、下記一般式（１）、一般式（２）、又は一般式（３）のいずれかで表される化合物である、＜１＞又は＜２＞に記載の導電性潤滑油組成物。
【００１０】
【化１】
0006757278.tif 000002
【００１１】
［一般式（１）中、Ｒ１は炭素数８〜１６の直鎖状若しくは分岐鎖状のアルキル基又は酸素原子を含むヘテロアルキル基を表し、ｎは５〜１１の整数を表す。］
【００１２】
【化２】
0006757278.tif 000003
【００１３】
［一般式（２）中、Ｒ２は炭素数８〜１６の直鎖状若しくは分岐鎖状のアルキル基又は酸素原子を含むヘテロアルキル基を表し、ｎは５〜１１の整数を表す。］
【００１４】
【化３】
0006757278.tif 000004
【００１５】
［一般式（３）中、Ａ１は、炭素数８〜１５の直鎖状若しくは分岐鎖状のアルキレン基又はヘテロアルキレン基を表し、Ｒ３及びＲ４は、それぞれ独立に、炭素数６〜１０の直鎖状又は分岐鎖状のアルキル基を表す。］
【発明の効果】
【００１６】
本発明によれば、導電性の経時安定性に優れる導電性潤滑油組成物が提供される。
【００１７】
このような導電性潤滑油組成物を、精密機器の摺動部分、回転部分に用いることで、導電性を安定的に確保しながら、優れた潤滑性を達成させることができる。
【発明を実施するための形態】
【００１８】
以下、本発明の導電性潤滑油組成物について詳細に説明する。なお、本明細書中、数値範囲を表す「〜」はその上限及び下限としてそれぞれ記載されている数値を含む範囲を表す。また、「〜」で表される数値範囲において上限値のみ単位が記載されている場合は、下限値も同じ単位であることを意味する。
【００１９】
本発明の導電性潤滑油組成物は、脂肪酸モノエステル基油及びエーテルエステル基油からなる群より選ばれる少なくとも１種の潤滑油基油と、トリフルオロメタンスルホン酸カリウム、トリフルオロメタンスルホン酸リチウム、ノナフルオロブタンスルホン酸リチウム、ビス（トリフルオロメタンスルホニル）イミドリチウム、ビス（トリフルオロメタンスルホニル）イミドカリウム、及びトリス（トリフルオロメタンスルホニル）メチドリチウムからなる群より選ばれる少なくとも１種の導電性付与剤を０．０１〜１質量％と、を含有し、１２０℃で２００時間保管した後の導電率の変化率が１０％以下である。
本発明の導電性潤滑油組成物は、必要に応じて上記以外の成分を含んでいてもよい。
【００２０】
本発明者らは、上記課題を解決すべく鋭意研究を重ねた結果、脂肪酸モノエステル基油及びエーテルエステル基油からなる群より選ばれる少なくとも１種の潤滑油基油と、トリフルオロメタンスルホン酸カリウム、トリフルオロメタンスルホン酸リチウム、ノナフルオロブタンスルホン酸リチウム、ビス（トリフルオロメタンスルホニル）イミドリチウム、ビス（トリフルオロメタンスルホニル）イミドカリウム、トリス（トリフルオロメタンスルホニル）メチドリチウムからなる群より選ばれる少なくとも１種の導電性付与剤と、を組み合わせることで、導電性の経時安定性に優れる導電性潤滑油組成物となることを見出し、本発明の完成に至った。以下、本発明の導電性潤滑油組成物について具体的に説明する。
【００２１】
＜導電性付与剤＞
本発明の導電性潤滑油組成物は、トリフルオロメタンスルホン酸カリウム、トリフルオロメタンスルホン酸リチウム、ノナフルオロブタンスルホン酸リチウム、ビス（トリフルオロメタンスルホニル）イミドリチウム、ビス（トリフルオロメタンスルホニル）イミドカリウム、及びトリス（トリフルオロメタンスルホニル）メチドリチウムからなる群より選ばれる少なくとも１種の導電性付与剤を０．０１〜１質量％含有する。
【００２２】
上記の導電性付与剤の中でも、トリフルオロメタンスルホン酸リチウム、ノナフルオロブタンスルホン酸リチウム、ビス（トリフルオロメタンスルホニル）イミドリチウム、又はビス（トリフルオロメタンスルホニル）イミドカリウムが好ましく、ノナフルオロブタンスルホン酸リチウム、ビス（トリフルオロメタンスルホニル）イミドリチウム又はビス（トリフルオロメタンスルホニル）イミドカリウムがより好ましく、ビス（トリフルオロメタンスルホニル）イミドリチウム又はビス（トリフルオロメタンスルホニル）イミドカリウムがさらに好ましく、ビス（トリフルオロメタンスルホニル）イミドリチウムが特に好ましい。
【００２３】
導電性付与剤の含有量は、組成物全質量に対して０．０１〜１質量％であり、０．０１〜０．５質量％とすることが好ましく、０．０１〜０．１質量％とすることがより好ましい。
導電性付与剤の含有量が０．０１質量％以上であると潤滑油組成物の導電性が向上し、１質量％以下であると含有量に見合った導電性を付与することができる。
導電性付与剤は１種単独で含まれていてもよく、２種以上が組み合わされて含まれていてもよい。２種以上が組み合わされて含まれている場合の含有量は、その合計量が上記範囲内であることが好ましい。
【００２４】
＜潤滑油基油＞
本発明の導電性潤滑油組成物は、脂肪酸モノエステル基油及びエーテルエステル基油からなる群より選ばれる少なくとも１種の潤滑油基油を含む。
本明細書において、脂肪酸モノエステル基油とは、１価のアルコールと１価のカルボン酸とのエステル化反応により得られる反応生成物であり、炭素数２１〜４１のエステル油を意味する。
本明細書において、エーテルエステル基油とは、１価又は２価のアルコールと１価のカルボン酸とのエステル化反応により得られる反応生成物であり、少なくとも１つのエーテル結合を有する炭素数２０〜３５のエステル油を意味する。エステル油が有するエーテル結合は、１価又は２価のアルコール及び１価のカルボン酸の少なくとも一方がエーテル結合を有する化合物であることで導入される。
【００２５】
潤滑油基油としては、例えば、下記一般式（１）、一般式（２）、又は一般式（３）で表される化合物が挙げられる。
【００２６】
【化４】
0006757278.tif 000005
【００２７】
一般式（１）中、Ｒ１は炭素数８〜１６の直鎖状若しくは分岐鎖状のアルキル基又は酸素原子を含むヘテロアルキル基を表す。Ｒ１で表される酸素原子を含むヘテロアルキル基は、酸素原子を１つ含んでいてもよく、複数含んでいてもよい。
一般式（１）中、ｎは５〜１１の整数を表す。
【００２８】
【化５】
0006757278.tif 000006
【００２９】
一般式（２）中、Ｒ２は炭素数８〜１６の直鎖状若しくは分岐鎖状のアルキル基又は酸素原子を含むヘテロアルキル基を表す。Ｒ２で表される酸素原子を含むヘテロアルキル基は、酸素原子を１つ含んでいてもよく、複数含んでいてもよい。
一般式（２）中、ｎは５〜１１の整数を表す。
【００３０】
【化６】
0006757278.tif 000007
【００３１】
一般式（３）中、Ａ１は炭素数８〜１５の直鎖状若しくは分岐鎖状のアルキレン基又はヘテロアルキレン基を表す。Ａ１で表されるヘテロアルキレン基は、ヘテロ原子を１つ含んでいてもよく、複数含んでいてもよい。ヘテロ原子としては、酸素原子、窒素原子などが挙げられる。
一般式（３）中、Ｒ３及びＲ４は、それぞれ独立に、炭素数６〜１０の直鎖状又は分岐鎖状のアルキル基を表す。
【００３２】
＜酸化防止剤＞
本発明の導電性潤滑油組成物は、酸化防止剤の少なくとも１種を含有することが好ましい。
酸化防止剤としては、例えば、ジフェニルアミン化合物、アルキル化フェニル−α−ナフチルアミン、ヒンダードフェノール化合物、及びフォスファイトなどの酸化防止剤が挙げられる。導電性潤滑油組成物の高温下における導電性の変化率を低く維持する観点から、上記の酸化防止剤が好適に用いられる。
【００３３】
ジフェニルアミン化合物としては、例えば、下記一般式（４）で表される化合物が挙げられる。
【００３４】
【化７】
0006757278.tif 000008
【００３５】
一般式（４）中、Ｒ５及びＲ６は、それぞれ独立に、水素原子又は炭素数１〜１６の直鎖若しくは分岐鎖のアルキル基を表す。
Ｒ５及びＲ６は同一であってもよく、異なっていてもよい。
【００３６】
Ｒ５及びＲ６で表される直鎖若しくは分岐鎖のアルキル基の具体例としては、メチル基、エチル基、ｎ−プロピル基、イソプロピル基、ｎ−ブチル基、イソブチル基、ｔｅｒｔ−ブチル基、ｎ−ペンチル基、イソペンチル基、ネオペンチル基、ｔｅｒｔ−ペンチル基、２−メチルブチル基、ｎ−ヘキシル基、イソヘキシル基、３−メチルペンチル基、エチルブチル基、ｎ−ヘプチル基、２−メチルヘキシル基、ｎ−オクチル基、２−エチルヘキシル基、３−メチルヘプチル基、ｎ−ノニル基、メチルオクチル基、エチルヘプチル基、ｎ−デシル基、ｎ−ウンデシル基、ｎ−ドデシル基、ｎ−テトラデシル基などが挙げられる。
【００３７】
Ｒ５及びＲ６は、好ましくは水素原子又は炭素数３〜９の直鎖若しくは分岐鎖のアルキル基であり、より好ましくは水素原子又は炭素数４〜８の直鎖若しくは分岐鎖のアルキル基である。
【００３８】
上記のジフェニルアミン化合物は、１種単独で含まれていてもよく、２種以上が組み合わされて含まれていてもよい。
【００３９】
アルキル化フェニル−α−ナフチルアミンとしては、例えば、下記一般式（５）で表される化合物が挙げられる。
【００４０】
【化８】
0006757278.tif 000009
【００４１】
一般式（５）中、Ｒ７は炭素数１〜１６の直鎖又は分岐鎖のアルキル基を表す。
【００４２】
Ｒ７で表される直鎖又は分岐鎖のアルキル基の具体例としては、メチル基、エチル基、ｎ−プロピル基、イソプロピル基、ｎ−ブチル基、イソブチル基、ｔｅｒｔ−ブチル基、ｎ−ペンチル基、イソペンチル基、ネオペンチル基、ｔｅｒｔ−ペンチル基、２−メチルブチル基、ｎ−ヘキシル基、イソヘキシル基、３−メチルペンチル基、エチルブチル基、ｎ−ヘプチル基、２−メチルヘキシル基、ｎ−オクチル基、２−エチルヘキシル基、３−メチルヘプチル基、ｎ−ノニル基、メチルオクチル基、エチルヘプチル基、ｎ−デシル基、ｎ−ウンデシル基、ｎ−ドデシル基、ｎ−テトラデシル基などが挙げられる。
【００４３】
Ｒ７は、好ましくは炭素数４〜８の直鎖又は分岐鎖のアルキル基である。
【００４４】
アルキル化フェニル−α−ナフチルアミンは、１種単独で含まれていてもよく、２種以上が組み合わされて含まれていてもよい。
【００４５】
ヒンダードフェノール化合物としては、例えば、下記一般式（６）、一般式（７）又は一般式（８）で表される化合物が挙げられる。
【００４６】
【化９】
0006757278.tif 000010
【００４７】
一般式（６）中、Ｒ８、Ｒ９、Ｒ１１、及びＲ１２は、それぞれ独立に、水素原子又は炭素数１〜１２の直鎖若しくは分岐鎖のアルキル基を表す。
Ｒ８、Ｒ９、Ｒ１１、及びＲ１２は、同一であってもよく、異なっていてもよい。
【００４８】
Ｒ８、Ｒ９、Ｒ１１、及びＲ１２で表される直鎖又は分岐鎖のアルキル基の具体例としては、メチル基、エチル基、ｎ−プロピル基、イソプロピル基、ｎ−ブチル基、イソブチル基、ｔｅｒｔ−ブチル基、ｎ−ペンチル基、イソペンチル基、ネオペンチル基、ｔｅｒｔ−ペンチル基、２−メチルブチル基、ｎ−ヘキシル基、イソヘキシル基、３−メチルペンチル基、エチルブチル基、ｎ−ヘプチル基、２−メチルヘキシル基、ｎ−オクチル基、２−エチルヘキシル基、３−メチルヘプチル基、ｎ−ノニル基、メチルオクチル基、エチルヘプチル基、ｎ−デシル基、ｎ−ウンデシル基、ｎ−ドデシル基などが挙げられる。
【００４９】
Ｒ８、Ｒ９、Ｒ１１、及びＲ１２は、好ましくは水素原子又は炭素数４〜８の直鎖若しくは分岐鎖のアルキル基である。
【００５０】
一般式（６）中、Ｒ１０は、炭素数１〜５のアルキレン基を表す。
【００５１】
Ｒ１０で表されるアルキレン基の具体例としては、メチレン基、エチレン基、プロピレン基、ブチレン基、ペンチレン基などが挙げられる。
【００５２】
Ｒ１０は、好ましくは炭素数１〜４のアルキレン基である。
【００５３】
【化１０】
0006757278.tif 000011
【００５４】
一般式（７）中、Ｒ１３及びＲ１４は、それぞれ独立に、水素原子又は炭素数１〜１２の直鎖若しくは分岐鎖のアルキル基を表す。
Ｒ１３及びＲ１４は同一であってもよく、異なっていてもよい。
【００５５】
Ｒ１３及びＲ１４で表される直鎖若しくは分岐鎖のアルキル基の具体例としては、一般式（６）中のＲ８、Ｒ９、Ｒ１１、及びＲ１２と同じものが挙げられる。
【００５６】
Ｒ１３及びＲ１４は、好ましくは水素原子又は炭素数４〜８の直鎖又は分岐鎖のアルキル基である。
【００５７】
一般式（７）中、ｎは１〜４の整数を表し、好ましくは１〜３の整数である。
【００５８】
【化１１】
0006757278.tif 000012
【００５９】
一般式（８）中、Ｒ１５、Ｒ１６、及びＲ１７は、それぞれ独立に、水素原子又は炭素数１〜１２の直鎖若しくは分岐鎖のアルキル基を表す。
Ｒ１５、Ｒ１６、及びＲ１７は同一であってもよく、異なっていてもよい。
【００６０】
Ｒ１５、Ｒ１６、及びＲ１７で表される直鎖若しくは分岐鎖のアルキル基の具体例としては、一般式（６）中のＲ８、Ｒ９、Ｒ１１、及びＲ１２と同じものが挙げられる。
【００６１】
Ｒ１５及びＲ１６は、好ましくは水素原子又は炭素数４〜８の直鎖若しくは分岐鎖のアルキル基であり、Ｒ１７は好ましくは水素原子又は炭素数１〜４の直鎖若しくは分岐鎖のアルキル基である。
【００６２】
ヒンダードフェノール化合物は、１種単独で含まれていてもよく、２種以上が組み合わされて含まれていてもよい。
【００６３】
フォスファイトとしては、例えば、下記一般式（９）で表される化合物が挙げられる。
【００６４】
【化１２】
0006757278.tif 000013
【００６５】
一般式（９）中、Ｒ１８及びＲ１９は、それぞれ独立に、炭素数１〜２０の直鎖又は分岐鎖のアルキル基を表す。
Ｒ１８及びＲ１９は同一であってもよく、異なっていてもよい。
【００６６】
Ｒ１８及びＲ１９で表される直鎖又は分岐鎖のアルキル基の具体例としては、メチル基、エチル基、ｎ−プロピル基、イソプロピル基、ｎ−ブチル基、イソブチル基、ｔｅｒｔ−ブチル基、ｎ−ペンチル基、イソペンチル基、ネオペンチル基、ｔｅｒｔ−ペンチル基、２−メチルブチル基、ｎ−ヘキシル基、イソヘキシル基、３−メチルペンチル基、エチルブチル基、ｎ−ヘプチル基、２−メチルヘキシル基、ｎ−オクチル基、２−エチルヘキシル基、３−メチルヘプチル基、ｎ−ノニル基、メチルオクチル基、エチルへプチル基、ｎ−デシル基、ｎ−ウンデシル基、ｎ−ドデシル基、ｎ−テトラデシル基などが挙げられる。
【００６７】
Ｒ１８Ｒ１９は、好ましくは炭素数２〜６の直鎖又は分岐鎖のアルキル基である。
【００６８】
フォスファイトは、１種単独で含まれていてもよく、２種以上が組み合わされて含まれていてもよい。
【００６９】
酸化防止剤の含有量は、組成物全質量に対して０．０５〜２．０質量％とすることが好ましく、０．２５〜１．５質量％とすることがより好ましく、０．５〜１．０質量％とすることがさらに好ましい。
酸化防止剤の含有量が０．０５質量％以上であると導電性潤滑油組成物の高温下における導電性の変動がより抑制される。
酸化防止剤は１種単独で含まれていてもよく、２種以上が組み合わされて含まれていてもよい。２種以上が組み合わされて含まれている場合の含有量は、その合計量が上記範囲内であることが好ましい。
【００７０】
導電性潤滑油組成物において、前述の導電性付与剤に対する酸化防止剤の比率（酸化防止剤／導電性付与剤）は、質量基準で、０．０５〜２００が好ましく、０．５〜１５０がより好ましい。
上記の比率が０．０５以上であると導電率の経時的変化が抑制され、２００以下であると添加量に見合った効果が得られる。
【００７１】
＜その他の添加剤＞
本発明の導電性潤滑油組成物は、さらに、金属不活性化剤、さび止め剤、摩耗防止剤、流動点降下剤、粘度指数向上剤、加水分解防止剤などの一般的な潤滑油添加剤を含有してもよい。
【００７２】
＜組成物の導電率＞
本発明の導電性潤滑油組成物は、８０℃における導電率が、好ましくは１０，０００ｐＳ／ｍ以上であり、より好ましくは１０，０００ｐＳ／ｍ〜１００，０００ｐＳ／ｍである。導電率が１０，０００ｐＳ／ｍ以上であると、発生した静電気の帯電を抑制することができる。
導電率の測定は、導電率計（例えば、Ｅｍｃｅｅ  Ｅｌｅｃｔｒｏｎｉｃｓ社製のハンディ導電率計１１５２）を用いて、導電性潤滑油組成物の温度を８０℃に加熱し、攪拌しながら導電率計のプローブを差し込むことで行うことができる。
【００７３】
本発明の導電性潤滑油組成物は、１２０℃で２００時間保管した後の導電率の変化率が１０％以下である。
上記の導電率の変化率は、５％以下がより好ましく、２．５％以下がさらに好ましく、２％以下がさらに好ましく、１．５％がさらに好ましく、１％以下が特に好ましい。
導電率の変化率が低いほど、長期間にわたって安定した導電率を維持することができる。
導電率の変化率は、１２０℃の条件下で２００時間保管する前後の導電性潤滑油組成物の導電率を測定することで求めることができる。
【００７４】
＜組成物の動粘度及び粘度指数＞
本発明の導電性潤滑油組成物は、４０℃における動粘度が６〜１５ｍｍ２／ｓであることが好ましく、より好ましくは７．５〜１３ｍｍ２／ｓである。４０℃動粘度が６ｍｍ２／ｓ以上であると蒸発損失が抑制され、充分な潤滑性能を保持できる。また、１５ｍｍ２／ｓ以下であると精密機器等に使用した際の粘性トルクが大きくなること、及び低温流動性が低下することが抑制される。従って、動粘度が６〜１５ｍｍ２／ｓの範囲が低消費電力や蒸発損失、潤滑性能の観点から良好であると考えられる。
また、本発明の導電性潤滑油組成物は、粘度指数が１１０以上であることが好ましく、より好ましくは１２０以上である。粘度指数が１１０以上であると、温度変化に対する粘度変化が抑制され、低温における粘性トルクが大きくなることが抑制される。
なお、組成物の４０℃動粘度は、ＪＩＳ−Ｋ−２２８３：２０００（ＡＳＴＭ  Ｄ４４５）に規定の方法により測定される値である。また、組成物の粘度指数は、ＪＩＳ  Ｋ  ２２８３：２０００（ＡＳＴＭ  Ｄ２２７０））に規定の方法により測定される値である。
【００７５】
＜組成物の用途＞
本発明の導電性潤滑油組成物は、種々の精密機器、例えばＣＤ−Ｒ、ＤＶＤ−Ｒ、ＨＤＤ、時計などのモーターや軸受の潤滑油に利用できる。
特に、上記の精密機器の摺動部分、回転部分に用いることで導電性を安定的に確保しながら、優れた潤滑性能を発現する。
【実施例】
【００７６】
以下、実施例に基づいて、本発明の内容を具体的に説明するが、本発明はこれらの実施例によって何ら限定されるものではない。
【００７７】
実施例及び比較例において、導電率の測定は、「Ｅｍｃｅｅ  Ｅｌｅｃｔｒｏｎｉｃｓ社製ハンディ導電率計１１５２」を用いて測定した。遮光瓶に入れた試料をホットスターラーで８０℃に加熱し、攪拌しながら導電率計のプローブを差し込み、測定を行った。
また、導電率の変化は、通常の使用条件よりも過酷な１２０℃の条件下で保管した後の導電性潤滑油組成物を８０℃で評価することとした。
【００７８】
（実施例１〜４）
下記表１に示す割合（質量％）で各成分を配合し、各実施例の導電性潤滑油組成物を調製した。
調製した各組成物を１２０℃の恒温槽で２００時間保管し、保管前後の導電率を測定し、変化率を算出した。各組成物の保管は、遮光瓶に入れた各組成物を、恒温槽（アドバンテック社製のＤＲＮ４２０ＤＢ）内に静止し、圧力及び湿度などは加えず、温度のみを１２０℃とし行った。結果を下記表１に示す。
【００７９】
【表１】
0006757278.tif 000014
【００８０】
表１中の各成分の詳細は以下のとおりである。
（基油Ａ）デカン酸２−ヘキシルデシルエステル：一般式（１）において、Ｒ１が炭素数１０の直鎖アルキル基、ｎ＝７である化合物
（酸化防止剤Ａ）アルキル化フェニル‐α‐ナフチルアミン：一般式（５）において、Ｒ７が炭素数７の分岐アルキル基である化合物
（酸化防止剤Ｂ）フォスファイト：一般式（９）において、Ｒ１８、Ｒ１９が炭素数４の分岐鎖アルキルである化合物
（酸化防止剤Ｃ）アルキル化ジフェニルアミン：一般式（４）において、Ｒ５，Ｒ６が炭素数７の分岐アルキル基である化合物
（導電性付与剤Ａ）ビス（トリフルオロメタンスルホニル）イミドリチウム
（導電性付与剤Ｂ）トリフルオロメタンスルホン酸リチウム
（導電性付与剤Ｃ）ノナフルオロブタンスルホン酸リチウム
（導電性付与剤Ｄ）ビス（トリフルオロメタンスルホニル）イミドカリウム
（その他潤滑油添加剤）金属不活性化剤、さび止め剤、摩耗防止剤、加水分解抑制剤
【００８１】
（比較例１〜３）
下記表２に示す割合（質量％）で各成分を配合し、各比較例の導電性潤滑油組成物を調製した。
調製した各組成物を１２０℃の恒温槽で２００時間保管し、保管前後の導電率を実施例１〜４と同様にして測定し、変化率を算出した。結果を下記表２に示す。
【００８２】
【表２】
0006757278.tif 000015
【００８３】
表２中の各成分の詳細は以下のとおりである。なお、基油Ａ、酸化防止剤Ａ、酸化防止剤Ｂ、酸化防止剤Ｃ、導電性付与剤Ａ、及びその他潤滑油添加剤は、表１と同じものを用いた。
（導電性付与剤Ｅ）アルキルナフタレンスルホン酸塩
（導電性付与剤Ｆ）リン酸エステル型アニオン界面活性剤
【００８４】
表１及び表２より、実施例の導電性潤滑油組成物は、導電率の変化率が低く、導電性の経時安定性に優れることがわかる。
【産業上の利用可能性】
【００８５】
本発明の導電性潤滑油組成物は、種々の精密機器、例えばＣＤ−Ｒ、ＤＶＤ−Ｒ、ＨＤＤ、時計などのモーターや軸受の潤滑油に利用できる。